(57)【要約】      （修正有）【課題】人体検知センサを設けた画像処理装置において、必要な場合にのみスリープモードから待機モードに復帰することで効率的にスリープモードを活用させる。【解決手段】画像処理装置１は、人体が所定範囲内に存在することを検知する人体検知手段１４と、スリープモード中に人体検知手段が人体の存在を検知した場合に、所定の判断基準に従ってスリープモードから待機モードに復帰させるか否かを決定する復帰判別手段とを有する。具体的には、この復帰判別手段は、受け付けたジョブの種別が記録されたジョブ履歴を参照して直近のジョブの種別を特定し、当該直近のジョブの種別に基づいてスリープモードから復帰させるか否かを決定する。【選択図】図２
2012058645.tif 000002
【特許請求の範囲】
【請求項１】
ジョブの実行を制御するジョブ処理手段と、
前記ジョブ処理手段によって実行されたジョブの種別をジョブ履歴として順次格納していくジョブ履歴格納手段と、
人体が所定範囲内に存在することを検知する人体検知手段と、
前記ジョブ処理手段によってジョブが実行された後に所定期間が経過した場合であって、かつ前記人体検知手段が人体の存在を検知しない場合に、通電状態をスリープモードに移行させる移行手段と、
スリープモード中に前記人体検知手段が人体の存在を検知した場合、前記ジョブ履歴を参照することにより直近に実行されたジョブの種別を判別し、当該判別結果に基づいてスリープモードから復帰させるか否かを決定する復帰判別手段と、
前記復帰判別手段により復帰させることが決定された場合、通電状態をスリープモードから待機モードに復帰させる復帰手段と、
を備えることを特徴とする画像処理装置。
【請求項２】
前記復帰判別手段は、直近に実行されたジョブがネットワークを介して受け付けられたユーザ端末からの印刷ジョブでなかった場合にはスリープモードから待機モードに復帰させることを決定し、直近に実行されたジョブがネットワークを介して受け付けられたユーザ端末からの印刷ジョブであった場合にはスリープモードから復帰させないことを決定することを特徴とする請求項１に記載の画像処理装置。
【請求項３】
前記ジョブ履歴には、前記ジョブ処理手段によって実行されたジョブが用紙排出処理を伴うものか否かを示す情報が含まれており、
前記復帰判別手段は、スリープモード中に前記人体検知手段が人体の存在を検知した場合、前記ジョブ履歴を参照して、ネットワークを介して受け付けられたユーザ端末からの直近の印刷ジョブの実行後に更に実行されたジョブが用紙排出処理を伴わないジョブである場合にはスリープモードから復帰させないことを決定することを特徴とする請求項１に記載の画像処理装置。
【請求項４】
前記印刷ジョブによって排出された用紙を保持する排出トレイと、
前記排出トレイに用紙があるか否かを検出する排出用紙検出手段と、
をさらに備え、
前記復帰判別手段は、直近に実行されたジョブが前記印刷ジョブであった場合には、さらに前記排出用紙検出手段の検出結果に基づき前記排出トレイに用紙があるときにスリープモードから復帰させないことを決定することを特徴とする請求項２に記載の画像処理装置。
【請求項５】
前記ジョブ履歴には、ネットワークを介して受け付けられたユーザ端末からの直近の印刷ジョブの実行後に更にジョブが実行された場合のジョブの実行回数に関する情報が含まれており、
前記復帰判別手段は、スリープモード中に前記人体検知手段が人体を検知した場合、前記ジョブ履歴を参照し、前記ジョブ履歴に含まれるジョブの実行回数に関する情報が予め設定された所定値を超えているときには復帰させることを決定することを特徴とする請求項１乃至４のいずれかに記載の画像処理装置。
【請求項６】
前記復帰判別手段は、スリープモード中に前記人体検知手段が人体を検知した場合、前記ジョブ履歴を参照することによって、ネットワークを介して受け付けられたユーザ端末からの直近の印刷ジョブが実行されてからの経過時間を判別し、該経過時間が予め設定された所定時間を経過していたときには復帰させることを決定することを特徴とする請求項１乃至５のいずれかに記載の画像処理装置。
【請求項７】
前記復帰判別手段は、スリープモード中に前記人体検知手段が人体を検知した場合、前記ジョブ履歴を参照することにより、直近に実行されたジョブがネットワークを介してユーザ端末から指示されたスキャンジョブでなかった場合にはスリープモードから待機モードに復帰させることを決定し、直近に実行されたジョブがネットワークを介してユーザ端末から指示されたスキャンジョブであった場合にはスリープモードから復帰させないことを決定することを特徴とする請求項１に記載の画像処理装置。
【請求項８】
スキャン後の原稿を載置するための原稿載置台と、
前記原稿載置台に原稿があるか否かを検出する原稿検出手段と、
をさらに備え、
前記復帰判別手段は、直近に実行されたジョブがネットワークを介してユーザ端末から指示されたスキャンジョブであった場合には、さらに前記原稿検出手段からの検出結果に基づき前記原稿載置台に原稿があるときにスリープモードから復帰させないことを決定することを特徴とする請求項７に記載の画像処理装置。
【請求項９】
ジョブの実行を制御するステップと、
実行されたジョブの種別をジョブ履歴として順次格納していくステップと、
ジョブが実行された後に所定期間が経過した場合に通電状態をスリープモードに移行させるステップと、
人体が所定範囲内に存在することを検知するステップと、
スリープモード中に前記所定範囲内において人体の存在が検知された場合、前記ジョブ履歴を参照することにより直近に実行されたジョブの種別を判別し、当該判別結果に基づいてスリープモードから復帰させるか否かを決定するステップと、
スリープモードから復帰させることが決定された場合、通電状態をスリープモードから待機モードに復帰させるステップと、
を備えることを特徴とする画像処理方法。
【請求項１０】
人体が所定範囲内に存在することを検知する人体検知手段を備えた画像処理装置によって実行されるプログラムであって、前記画像処理装置を、
ジョブの実行を制御するジョブ処理手段、
前記ジョブ処理手段によって実行されたジョブの種別をジョブ履歴として順次格納していくジョブ履歴格納手段、
人体が所定範囲内に存在することを検知する人体検知手段、
前記ジョブ処理手段によってジョブが実行された後に所定期間が経過した場合であって、かつ前記人体検知手段が人体の存在を検知しない場合に、通電状態をスリープモードに移行させる移行手段、
スリープモード中に前記人体検知手段が人体の存在を検知した場合、前記ジョブ履歴を参照することにより直近に実行されたジョブの種別を判別し、当該判別結果に基づいてスリープモードから復帰させるか否かを決定する復帰判別手段、および、
前記復帰判別手段により復帰させることが決定された場合、通電状態をスリープモードから待機モードに復帰させる復帰手段、
として機能させることを特徴とするプログラム。
【発明の詳細な説明】
【技術分野】
【０００１】
本発明は、画像処理装置、画像処理方法及びプログラムに関し、特に人体検知機能によって通電状態を制御する画像処理装置において通電状態をスリープモードから待機モードへ復帰させるための技術に関する。
【背景技術】
【０００２】
コピー機能やＦＡＸ機能などを備える画像処理装置において、従来から、人体検知センサを設けることで自動的に電力消費量を節約するための制御を行うものがある。
【０００３】
例えば、特許文献１には、何れの処理も実行していない期間が所定期間を経過すると、復帰に必要な一部の回路を残しそれ以外の回路への通電を一時的に遮断することでスリープモードに移行する画像処理装置が開示されている。この画像処理装置は、人体検知センサを有しており、スリープモード中に人間が画像処理装置に近づくと、当該人体検知センサが人間の存在を検知し、それまで遮断していた回路への通電を回復させることでスリープモードから、指示待ち状態である待機モードへ復帰するようになっている。
【０００４】
また、特許文献２には、人体検知センサが人間の存在を検知しているか否かによって待機モードに移行するかスリープモードに移行するかを判断する画像形成装置が開示されている。すなわち、この画像形成装置では、人体検知センサが人間の存在を検知したときには待機モードに移行し、そうでない場合にはスリープモードに移行するように制御される。
【先行技術文献】
【特許文献】
【０００５】
【特許文献１】特開２００５−１７９３８号公報
【特許文献２】特開平８−３２０６３５号公報
【発明の概要】
【発明が解決しようとする課題】
【０００６】
しかしながら、従来のように画像処理装置に近づいた人間を人体検知装置が検知する度に常にスリープモードから復帰させてしまうと、画像処理装置は、当該画像処理装置の復帰を望んでいない人間が単に近づいただけの場合にもスリープモードから待機モードに無駄に復帰することになってしまう。
【０００７】
例えば、画像処理装置から所定距離離れたところにあるユーザ端末からネットワークを介した印刷指示に基づき印刷処理を実行する場合を想定してみると、ユーザは、ユーザ端末を操作し画像処理装置に印刷処理を実行させた後、印刷された印刷物を画像処理装置まで取りに行く必要がある。このとき、印刷出力が行われてから所定時間が経過し、画像処理装置が待機モードからスリープモードに移行してしまっていると、画像処理装置は、ユーザが出力された印刷物を単に取りに来ただけであるにもかかわらず、人体検知センサが人体を検出することでスリープモードから待機モードに復帰をしてしまう。この場合、画像処理装置は、一旦、待機モードに復帰してしまうと、それから再びスリープモードに移行するまで電力を無駄に消費することになる。
【０００８】
このように、人体検知センサを有する従来の画像処理装置は、必要なく待機モードに復帰し無駄に電力を消費してしまうため、効率的にスリープモードが活用できていないという問題がある。
【０００９】
本発明は、上記従来の問題点を解決するためになされたものであり、上述したような人体検知センサを設けた画像処理装置において、必要な場合にのみスリープモードから待機モードに復帰することで効率的にスリープモードを活用できるようにした画像処理装置、画像処理方法及び画像処理プログラムを提供することを目的としている。
【課題を解決するための手段】
【００１０】
上記目的を達成するため、請求項１にかかる発明は、ジョブの実行を制御するジョブ処理手段と、前記ジョブ処理手段によって実行されたジョブの種別をジョブ履歴として順次格納していくジョブ履歴格納手段と、人体が所定範囲内に存在することを検知する人体検知手段と、前記ジョブ処理手段によってジョブが実行された後に所定期間が経過した場合であって、かつ前記人体検知手段が人体の存在を検知しない場合に、通電状態をスリープモードに移行させる移行手段と、スリープモード中に前記人体検知手段が人体の存在を検知した場合、前記ジョブ履歴を参照することにより直近に実行されたジョブの種別を判別し、当該判別結果に基づいてスリープモードから復帰させるか否かを決定する復帰判別手段と、前記復帰判別手段により復帰させることが決定された場合、通電状態をスリープモードから待機モードに復帰させる復帰手段と、を備えることを特徴とする構成である。
【００１１】
請求項２にかかる発明は、請求項１に記載の画像処理装置において、前記復帰判別手段は、直近に実行されたジョブがネットワークを介して受け付けられたユーザ端末からの印刷ジョブでなかった場合にはスリープモードから待機モードに復帰させることを決定し、直近に実行されたジョブがネットワークを介して受け付けられたユーザ端末からの印刷ジョブであった場合にはスリープモードから復帰させないことを決定することを特徴とする構成である。
【００１２】
請求項３にかかる発明は、請求項１に記載の画像処理装置において、前記ジョブ履歴には、前記ジョブ処理手段によって実行されたジョブが用紙排出処理を伴うものか否かを示す情報が含まれており、前記復帰判別手段は、スリープモード中に前記人体検知手段が人体の存在を検知した場合、前記ジョブ履歴を参照して、ネットワークを介して受け付けられたユーザ端末からの直近の印刷ジョブの実行後に更に実行されたジョブが用紙排出処理を伴わないジョブである場合にはスリープモードから復帰させないことを決定することを特徴とする特徴とする構成である。
【００１３】
請求項４にかかる発明は、請求項２に記載の画像処理装置において、前記印刷ジョブによって排出された用紙を保持する排出トレイと、前記排出トレイに用紙があるか否かを検出する排出用紙検出手段と、をさらに備え、前記復帰判別手段は、直近に実行されたジョブが前記印刷ジョブであった場合には、さらに前記排出用紙検出手段の検出結果に基づき前記排出トレイに用紙があるときにスリープモードから復帰させないことを決定することを特徴とする特徴とする構成である。
【００１４】
請求項５にかかる発明は、請求項１乃至４のいずれかに記載の画像処理装置において、前記ジョブ履歴には、ネットワークを介して受け付けられたユーザ端末からの直近の印刷ジョブの実行後に更にジョブが実行された場合のジョブの実行回数に関する情報が含まれており、前記復帰判別手段は、スリープモード中に前記人体検知手段が人体を検知した場合、前記ジョブ履歴を参照し、前記ジョブ履歴に含まれるジョブの実行回数に関する情報が予め設定された所定値を超えているときには復帰させることを決定することを特徴とする構成である。
【００１５】
請求項６にかかる発明は、請求項１乃至５のいずれかに記載の画像処理装置において、前記復帰判別手段は、スリープモード中に前記人体検知手段が人体を検知した場合、前記ジョブ履歴を参照することによって、ネットワークを介して受け付けられたユーザ端末からの直近の印刷ジョブが実行されてからの経過時間を判別し、該経過時間が予め設定された所定時間を経過していたときには復帰させることを決定することを特徴とする構成である。
【００１６】
請求項７にかかる発明は、請求項１に記載の画像処理装置において、前記復帰判別手段は、スリープモード中に前記人体検知手段が人体を検知した場合、前記ジョブ履歴を参照することにより、直近に実行されたジョブがネットワークを介してユーザ端末から指示されたスキャンジョブでなかった場合にはスリープモードから待機モードに復帰させることを決定し、直近に実行されたジョブがネットワークを介してユーザ端末から指示されたスキャンジョブであった場合にはスリープモードから復帰させないことを決定することを特徴とする構成である。
【００１７】
請求項８にかかる発明は、請求項７に記載の画像処理装置において、スキャン後の原稿を載置するための原稿載置台と、前記原稿載置台に原稿があるか否かを検出する原稿検出手段と、をさらに備え、前記復帰判別手段は、直近に実行されたジョブがネットワークを介してユーザ端末から指示されたスキャンジョブであった場合には、さらに前記原稿検出手段からの検出結果に基づき前記原稿載置台に原稿があるときにスリープモードから復帰させないことを決定することを特徴とする構成である。
【００１８】
請求項９にかかる発明は、ジョブの実行を制御するステップと、実行されたジョブの種別をジョブ履歴として順次格納していくステップと、ジョブが実行された後に所定期間が経過した場合に通電状態をスリープモードに移行させるステップと、人体が所定範囲内に存在することを検知するステップと、スリープモード中に前記所定範囲内において人体の存在が検知された場合、前記ジョブ履歴を参照することにより直近に実行されたジョブの種別を判別し、当該判別結果に基づいてスリープモードから復帰させるか否かを決定するステップと、スリープモードから復帰させることが決定された場合、通電状態をスリープモードから待機モードに復帰させるステップと、を備えることを特徴とする構成である。
【００１９】
請求項１０にかかる発明は、人体が所定範囲内に存在することを検知する人体検知手段を備えた画像処理装置によって実行されるプログラムであって、前記画像処理装置を、ジョブの実行を制御するジョブ処理手段、前記ジョブ処理手段によって実行されたジョブの種別をジョブ履歴として順次格納していくジョブ履歴格納手段、人体が所定範囲内に存在することを検知する人体検知手段、前記ジョブ処理手段によってジョブが実行された後に所定期間が経過した場合であって、かつ前記人体検知手段が人体の存在を検知しない場合に、通電状態をスリープモードに移行させる移行手段、スリープモード中に前記人体検知手段が人体の存在を検知した場合、前記ジョブ履歴を参照することにより直近に実行されたジョブの種別を判別し、当該判別結果に基づいてスリープモードから復帰させるか否かを決定する復帰判別手段、および、前記復帰判別手段により復帰させることが決定された場合、通電状態をスリープモードから待機モードに復帰させる復帰手段、として機能させることを特徴とする構成である。
【発明の効果】
【００２０】
本発明によれば、人体検知センサを設けた画像処理装置において、必要な場合にのみスリープモードから待機モードに復帰することで効率的にスリープモードを活用させることができるようになる。
【図面の簡単な説明】
【００２１】
【図１】画像処理装置を含む画像処理システムの全体構成例を示す図である。
【図２】画像処理装置のハードウェア構成の一例を示すブロック図である。
【図３】制御部の機能構成を示す図である。
【図４】ジョブ履歴の一例を示す図である。
【図５】一実施形態における処理手順の一例を示すフローチャートである。
【図６】一実施形態における処理手順の一例を示すフローチャートである。
【発明を実施するための形態】
【００２２】
以下、本発明に関する好ましい実施形態について図面を参照しつつ詳細に説明する。なお、以下に説明する実施形態において互いに共通する部材には同一符号を付しており、それらについての重複する説明は省略する。
【００２３】
（第１の実施形態）
図１は、本実施形態における画像処理装置１を含む画像処理システムの全体構成例を示す図である。この画像処理システムは、画像処理装置１と、ユーザ端末６とがローカルネットワークなどのネットワークに接続され、それらが互いにデータの送受信を行うことができるように構成されている。
【００２４】
画像処理装置１は、いわゆる複合機であり、コピー処理、スキャン処理、ＦＡＸ処理及び印刷処理等の各処理を機械的に実行するための構成及び当該機械的な実行をユーザの指示に基づき制御するための構成を有している。また、この画像処理装置１は、ネットワークを介して受け付けるユーザ端末６からの遠隔操作に基づく指示により、スキャン処理や印刷処理が実行可能に構成されている。なお、以下の説明では、ユーザ端末６からの指示によって受け付けた印刷ジョブを「ＰＣ印刷」と称する。また、この画像処理装置１は、図示しない公衆電話回線網と接続されており、この公衆電話回線網を介することによりＦＡＸの送受信を行うことが可能となっている。
【００２５】
具体的には、画像処理装置１は、ユーザが原稿をセットするためのフィーダ部２と、このフィーダ部２にセットされた原稿を自動搬送して読み取った後、排出された原稿を載置する原稿載置台３と、この原稿載置台３における原稿の有無を検出する原稿センサ１６と、印刷出力された用紙（以下「記録シート」と称することもある）を排出する排出口４と、この排出口４から排出された記録シートを載置するための排出トレイ５と、この排出トレイ５における記録シートの有無を検出するトレイセンサ１５と、ユーザからの入力操作を受け付ける操作入力部１３と、画像処理装置１の所定範囲内に人体が存在するか否かを検知する人体検知センサ１４と、を有している。なお、操作入力部１３は、例えば液晶ディスプレイとタッチセンサとを組み合わせたタッチパネルを有しており、後述する待機モードではこのタッチパネルにユーザが各種の設定操作を行うための操作案内画面が表示されるようになっている。
【００２６】
このような画像処理装置１は、電源が投入されている状態において、その通電状態を、ジョブの入力を受け付けて実行することができる待機モードと、待機モードよりも省電力状態であるスリープモードとの間で移行させるように構成される。そして、詳しくは後述するが、この画像処理装置１は、ジョブを実行してから所定期間（例えば１０分）が経過し、かつ人体検知センサ１４が人体を検知しない場合には、復帰に必要な一部の回路への通電状態を維持して、他のタッチパネルや各処理部への通電状態を一時的に遮断した状態であるスリープモードに移行させるようになっている。そして、画像処理装置１は、スリープモード中に人体検知センサ１４が人体の存在を検知するか若しくはユーザからのジョブの指示を受け付けた場合に通電状態を回復させることでスリープモードから待機モードに復帰するようになっている。
【００２７】
図２は、画像処理装置１のハードウェア構成の一例を示すブロック図である。この図２に示すように、画像処理装置１は、ＣＰＵ１０およびメモリ１１を有する制御部２２と、外部インタフェース（Ｉ／Ｆ）１２と、操作入力部１３と、人体検知センサ１４と、トレイセンサ１５と、原稿センサ１６と、スキャナ部１７と、ＦＡＸ部１８と、プリンタ部１９と、記憶装置２０と、ジョブ履歴格納部２１と、を有し、これらがデータバスを介して相互にデータの入出力を行うことができる構成である。制御部２２におけるＣＰＵ１０は、各種のプログラムを実行するものである。メモリ１１は、ＣＰＵ１０がプログラムを実行する際に一時的なデータを記憶する。外部インタフェース１２は、ネットワーク及び公衆電話回線網と接続され、これによりユーザ端末６との通信の送受信及びＦＡＸの送受信が可能となっている。操作入力部１３は、上述したタッチパネルの他にも各種の押しボタン等を備えており、ユーザによるコピーやＦＡＸ、スキャン等の入力操作を受け付ける。
【００２８】
人体検知センサ１４は、画像処理装置１の周囲所定範囲内における人体の存在を検知するためのセンサである。この人体検知センサ１４は、例えば、人間の発する熱（赤外線）を検知する赤外線センサであって、検知した熱が所定の閾値を超えたときに人体検知結果として所定の信号を制御部２２に送信するようになっている。ここで、人体を検知するための検知可能範囲をどのくらいに設定するかは適宜設計が可能であるが、例えば、画像処理装置１の前面（操作入力部１３が設けられている面）からの距離が１ｍ程度で角度が１２０°程度に設定されたものでもよい。なお、人体検知センサ１４は、赤外線センサに限られない。例えば、人体を画像としてＣＣＤカメラ等で撮像し、これをイメージ解析することで所定範囲内に人体があると判断する構成であっても良い。また、光センサにより所定範囲内の人体を非接触で検知する構成であっても良い。
【００２９】
トレイセンサ１５は、排出トレイ５の底面に設けられており排出トレイ５に記録シートがあるか否かを検出するものである。このトレイセンサ１５は、具体的には、排出された記録シートとの接触を検出する接触センサや記録シートによって遮光されたことを検出する光センサなどで良く適宜設計が可能である。原稿センサ１６は、原稿載置台３の底面に設けられている。この原稿センサ１６もトレイセンサ１５と同様に接触センサや光センサなどで構成してよい。
【００３０】
スキャナ部１７、ＦＡＸ部１８及びプリンタ部１９は、何れも画像処理装置１においてジョブを実行する際に機械的な処理を実行するものである。例えば、スキャナ部１７は、写真や文字等で構成された原稿を読み取り、読み取った原稿を画像データに変換して図示しない画像データ格納部に格納する。ＦＡＸ部１８は、ユーザの操作に基づき画像データ格納部から該当する画像データを読み出して公衆電話回線網を介して送信先に送信する。プリンタ部１９は、ユーザの操作に基づき画像データ格納部から該当する画像データを読み出して印刷処理を実行する。なお、スキャナ部１７、ＦＡＸ部１８及びプリンタ部１９のそれぞれの動作は制御部２２によって制御される。
【００３１】
記憶装置２０は、例えばハードディスク装置などの不揮発性記憶手段であり、プログラム２５を記憶する。このプログラム２５は、ＣＰＵ１０によって読み出され、実行されるプログラムである。ＣＰＵ１０は、このプログラム２５を実行することにより、制御部２２を後述する各処理部として機能させる。これにより、制御部２２は、画像処理装置１に設けられた各部を制御する制御機能を具現化し、例えば、上述したスキャナ部１７、ＦＡＸ部１８及びプリンタ部１９を個別に駆動することでジョブの実行を制御する。また本実施形態における制御部２２は、詳しくは後述するが、スリープモード中に人体検知センサ１４からの人体検知結果を受け付けた場合に、通電状態をスリープモードから待機モードに復帰させるか否かを判断し、復帰させることを決定した場合に、それまで遮断されていた電力系統に電力を供給させる指示を出力するための構成も有している。
【００３２】
ジョブ履歴格納部２１には、画像処理装置１において受け付けられたジョブおよび実行されたジョブに関する情報が蓄積されたジョブ履歴２６が格納されている。このジョブ履歴格納部２１は、少なくともスリープモード中にデータの読み出しができるように構成されている。
【００３３】
図４は、ジョブ履歴格納部２１に格納されるジョブ履歴２６の一例を示す図である。図４には、ジョブ履歴２６の例として、２つのジョブ履歴２６ａ，２６ｂを示してある。このようなジョブ履歴２６ａ，２６ｂは、画像処理装置１が直近の待機モード中に受け付けたジョブの受付時間やその種別などを全て記憶しておくものであり、後述する復帰判別部３３がスリープモードから待機モードに復帰させるか否かを判断するための判断基準となるものである。ここで、図４（ａ）に示すジョブ履歴２６ａは、画像処理装置１において直近に受け付けられて実行されたジョブ（以下「直近ジョブ」と称する）がＰＣ印刷の場合である。他方、図４（ｂ）に示すジョブ履歴２６ｂは、ジョブ履歴２６ａとは異なり直近ジョブがＰＣ印刷以外の場合である。ここで、ジョブ履歴２６ａ，２６ｂに示すように、ジョブ履歴２６の項目には、「受付時間」と、「ジョブ種別」と、「実行時間」と、「実行回数」と、「用紙排出」が含まれている。このジョブ履歴２６には、これらの各項目に対応する情報が、ジョブ毎に記録される。ただし、ジョブ履歴２６にこれら以外の項目が含まれていても良い。
【００３４】
「受付時間」は、ジョブ管理部３１（後述する）がジョブを受け付けた時間である。「ジョブ種別」は、受け付けたジョブの種別である。「実行時間」は、受け付けたジョブが実行された時間（例えばジョブの実行が完了した時間）である。
【００３５】
「実行回数」は、当該ジョブの実行が直近のＰＣ印刷が実行された後の何回目の実行であるかを示す情報である。例えば、ジョブ履歴２６にＰＣ印刷以外のジョブが記録された場合でそのジョブが実行されると、そのジョブに対応する「実行回数」には、そのジョブの実行以前の直近でＰＣ印刷が実行された後の何回目の実行であるかを示す数値情報が記録されるようになっている。この数値は、スリープモードから待機モードに復帰させるか否かを判断するための判断基準となるものであり、この数値が所定回数を超えた場合に復帰判別部３３によって復帰が決定される。
【００３６】
すなわち、この「実行回数」の数値は、ＰＣ印刷が実行された場合には「０」が、それ以外のジョブが実行された場合には、その直前のジョブの「実行回数」の数値に「１」を加算した値が記録される。例えば、図４（ｂ）に示すジョブ履歴２６ｂでは、直近に実行されたジョブは、１１時１３分に実行されたスキャンであるが、このスキャンの「実行回数」は「２」となっている。これは、直近ジョブであるスキャンがそれ以前の直近のＰＣ印刷（実行時間１１時００分）から数えて２回目に実行されたジョブであることを示している。なお、図４（ａ）に示すジョブ履歴２６ａにおいて、１０時０１分に実行されたコピー及び１０時０８分に実行されたＦＡＸ送信は、それ以前にＰＣ印刷が行われていないので「実行回数」がブランクになっている。
【００３７】
「用紙排出」は、ジョブ履歴２６に記録されているジョブが排出トレイ５に用紙の排出を伴うものであるか否かを示すフラグである。具体的には、用紙排出を伴うジョブとしては、コピー、ＦＡＸ受信、ＰＣ印刷である。一方、用紙排出を伴わないジョブとしては、スキャン、ＦＡＸ送信である。図４のジョブ履歴２６ａ，２６ｂに示すように、用紙排出を伴うジョブの場合には、それを示す「○」のフラグが立てられ、そうでない場合には「×」のフラグが立てられている。
【００３８】
図３は、画像処理装置１の各処理を制御する制御部２２の構成を示すブロック図である。図３に示す制御部２２の各機能部は、上述したようにＣＰＵ１０がプログラム２５を読み出して実行することにより実現されるものである。この制御部２２は、制御機能を司る複数の機能部からなっており、具体的には、この図３に示すように、ジョブ処理部３０と、ジョブ管理部３１と、移行指示部３２と、復帰判別部３３と、復帰指示部３４との各機能部３０〜３４からなっている。以下、これらの機能部について具体的に説明する。
【００３９】
ジョブ処理部３０は、画像処理装置１におけるジョブの実行を制御する処理部である。すなわち、ジョブ処理部３０は、後述するジョブ管理部３１によってジョブが受け付けられた場合に、スキャナ部１７、ＦＡＸ部１８及びプリンタ部１９の中からそのジョブを実行するために必要なものを選択して駆動制御することにより、そのジョブの実行を行わせるものである。例えば、受け付けられたジョブがコピーであった場合、ジョブ処理部３０は、スキャナ部１７に原稿を光学的に読み取らせ、原稿を読み取って得られた画像データをプリンタ部１９に出力して印刷させるように制御する。
【００４０】
ジョブ管理部３１は、ユーザから指示された各ジョブを受け付けると共に、受け付けたジョブに基づいてジョブ履歴２６の各項目を更新するものである。またジョブ管理部３１は、受け付けたジョブの実行が完了すると、それに伴い、ジョブ履歴２６を更新する。具体的には、ジョブ管理部３１は、まず、ジョブを受け付けた時間とジョブ種別とを関連づけてジョブ履歴２６としてジョブ履歴格納部２１に格納する（図４参照）。また、その際、受け付けたジョブが用紙排出を伴うか否かを判断しジョブ履歴２６の「用紙排出」の項目にフラグを立てる。なお、この判断は、例えば、予めジョブ毎に用紙排出を伴うか否かを記憶装置２０に記憶しておき、ジョブを受け付ける度に、ジョブ管理部３１が記憶装置２０を参照して判断するようにしても良い。また、ジョブ管理部３１は、受け付けたジョブが実行されると、実行時間を書き込むと共に、実行されたジョブの種別に基づいてジョブ履歴２６の「実行回数」の項目に数値情報を記録する。この数値情報は、具体的には、上述したように、ＰＣ印刷が実行された場合には「０」が、それ以外のジョブが実行された場合には、その直前のジョブの「実行回数」に「１」を加算した値となる。
【００４１】
移行指示部３２は、通電状態をスリープモードに移行させるか否かを判断して電力供給回路を制御する電力供給回路制御部（図示せず）に通電遮断指示を送信するものである。具体的には、この移行指示部３２は、ジョブ履歴２６における直近ジョブの「実行時間」を管理しており、制御部２２の内部でリアルタイムに更新される現在時間を取得して現在時間を直近ジョブの「実行時間」と比較する。そして現在時間が「実行時間」から所定時間（例えば１０分）を超過した場合に、人体検知センサ１４が人体を検出していないことを条件として通電状態をスリープモードに移行させると判断する。そして、移行指示部３２は、スリープモードに移行させると判断した場合には、タッチパネルや各処理部の電気回路への通電を遮断させるために、電力供給回路を制御する電力供給回路制御部に通電遮断指示を送信する。これにより、タッチパネルや各処理部の電気回路への通電が遮断されることで、通電状態がスリープモードに移行することになる。
【００４２】
なお、本実施形態では、通電状態がスリープモードに移行した場合でも、少なくとも人体検知センサ１４、制御部２２およびジョブ履歴格納部２１に対しては最小限の電力供給が行われ、スリープモード中に後述する処理を行うことができるようになっている。
【００４３】
復帰判別部３３は、スリープモードに移行したことによって一旦遮断された通電状態を待機モードに復帰させるか否かを決定するものである。この復帰判別部３３は、スリープモード中において人体検知センサ１４の出力を監視し、所定範囲内における人体の存在を検知した場合、待機モードへ復帰させるか否かを判断する。この判断は、スリープモード中に画像処理装置１に近づく者が、ＰＣ印刷によって排出された記録シートを単に取りに来るだけであることが特定できるか否かという観点によって行われる。
【００４４】
例えば、直近ジョブがＰＣ印刷である場合には、印刷を指示したユーザは、印刷出力された記録シートを排出トレイ５まで取りに来ることが必要になるが、ユーザが記録シートを取りに来ないまま所定期間が経過すると、移行指示部３２の指示に基づき通電状態がスリープモードに移行した状態になってしまう。このような状態で人体検知センサ１４が人体の存在を検知した場合、それは単に、ユーザが記録シートを排出トレイ５まで取りに来ただけである可能性が極めて高いので、復帰判別部３３は、このような場合に人体検知センサ１４が人体の存在を検知しても直ちには復帰させない。これにより、ユーザが単に記録シートを取りに来ただけであるのに、通電状態を待機モードに復帰させてしまうことを防止することができ、無駄な電力消費を抑制することができるようになる。その結果、効率的にスリープモードを活用することが可能となる。
【００４５】
これに対し、直近ジョブがＰＣ印刷でなかった場合には、排出トレイ５に記録シートが残されている可能性は低いと考えられる。そのため、このような場合には、復帰判断部３３は、人体検知センサ１４が人体を検出したことに伴い、直ちにスリープモードから待機モードに復帰させるように決定しても良い。
【００４６】
その一方で、直近ジョブがＰＣ印刷でなかった場合でも、それより以前にＰＣ印刷が行われていれば、そのＰＣ印刷を指示したユーザが記録シートを取りに来ることを忘れてしまっていることもあり、スリープモード中に人体検知センサ１４によって検知された者は、忘れていた記録シートを取りに来たユーザであるケースも起こり得る。このようなケースを想定すると、スリープモード中に人体検知センサ１４が人体を検知した場合、直近ジョブがＰＣ印刷であるか否かを単に判断するだけでなく、それ以外の要素も判断することにより、より正確にスリープモードから待機モードに復帰させるべきか否かを決定するように構成することが好ましい。そのため、以下においては、復帰判別部３３が復帰させるか否かを決定するための、より好ましい判断基準について説明する。
【００４７】
復帰判別部３３は、スリープモード中に人体検知センサ１４からの人体検知結果を受け付けると、まず、ジョブ履歴２６を参照して直近ジョブがＰＣ印刷か否かを判別する。そして、直近ジョブがＰＣ印刷である場合には、復帰判別部３３は直ちにはスリープモードから復帰させないで、トレイセンサ１５からの検出結果に基づいて復帰させるか否かを判断する。すなわち、排出トレイ５に何ら用紙がない場合には、ＰＣ印刷を指示したユーザかそれ以外の者によって当該ＰＣ印刷によって排出された記録シートが既に回収されてしまっており、画像処理装置１に近づいて来る者は、画像処理装置１に何らかの処理を行わせようとしている可能性が高い。そこで、復帰判別部３３は、この場合にはスリープモードから復帰させることを決定する。本実施形態では、図４（ａ）に示したジョブ履歴２６ａの場合、直近ジョブがＰＣ印刷であるので、この場合に復帰判別部３３は、人体検知センサ１４からの人体検知結果を受け付けても直ちにはスリープモードから復帰させず、トレイセンサ１５が記録シートを検出しない場合に復帰させることを決定する。
【００４８】
他方、復帰判別部３３は、ジョブ履歴２６ｂに示したように、直近ジョブがＰＣ印刷でない場合には、直近のＰＣ印刷の後に実行されたジョブが用紙排出を伴うものか否かによってスリープモードから復帰させるか否かを決定する。例えば、ＰＣ印刷が実行された後に実行されたジョブが全て印刷を伴わないジョブである場合（例えばＦＡＸ送信やスキャンなど）には、その後のスリープモード中に画像処理装置１に近づく者は、ＰＣ印刷により排出された記録シートを単に取りに来ただけである可能性が高い。そこで、この場合、復帰判別部３３は、人体検知センサ１４からの人体検知結果を受け付けても直ちにはスリープモードから復帰させず、トレイセンサ１５の検出結果を判断し、トレイセンサ１５が記録シートを検出しない場合に復帰させることを決定する。これに対して、ＰＣ印刷後に用紙排出を伴うジョブ（例えばコピー）を実行した場合には、ユーザは、通常、コピー処理終了後にコピー元の原稿と、コピーされた記録シートと、ＰＣ印刷によって排出された記録シートとを一緒に持ち帰ることが多い。このような場合、その後に画像処理装置１に近づいてくる者は、画像処理装置１に何らかの処理を行わせようとしている可能性が高い。そこで、この場合には、ジョブ復帰判別部３３は、通電状態をスリープモードから復帰させるように決定する。
【００４９】
また、以下のようにジョブ履歴２６の「実行回数」及び／若しくは「実行時間」に基づいて、スリープモードから復帰させるか否かを判断しても良い。すなわち、ＰＣ印刷が実行されてから所定回数（例えば３回）以上何らかのジョブが実行された場合には、印刷を指示したユーザが記録シートの回収を忘れてしまっている可能性が高いと言える。このような場合、その後に画像処理装置１に近づく者は、画像処理装置１に何らかの処理を行わせようとしている可能性が高いと言えるので、ジョブ復帰判別部３３は、人体検知センサ１４からの人体検知結果を受け付けたことを条件としてスリープモードから復帰させるように決定する。また、ジョブ履歴２６におけるＰＣ印刷の「実行時間」からの経過時間が所定時間（例えば３０分）を超過した場合にも、印刷を指示したユーザが記録シートの回収を忘れてしまっている可能性が高いと言える。このような場合にも、その後に画像処理装置１に近づく者は、画像処理装置１に何らかの処理を行わせようとしていると考えられる。そのため、ジョブ復帰判別部３３は、ジョブ履歴２６におけるＰＣ印刷の「実行時間」と現在時間を対比してＰＣ印刷が実行されてから所定時間が経過しているときには、人体検知センサ１４からの人体検知結果を受け付けたことを条件としてスリープモードから復帰させるように決定する。
【００５０】
復帰指示部３４は、復帰判別部３３によって復帰させることが決定された場合に、電力供給回路制御部に通電指示を送信する。この通電指示により、タッチパネルや各処理部１７〜１９の電気回路への通電が回復することで、通電状態がスリープモードから待機モードに復帰される。
【００５１】
図５は、上記のように構成される画像処理装置１によって実行される処理手順であって、スリープモードから待機モードに復帰させるか否かを判断するための主として復帰判別部３３によって行われる処理手順を示したフローチャートである。なお、この処理は、上述したようにＣＰＵ１０がプログラム２５を実行することによって行われる。また、以下の説明では、既に通電状態がスリープモードに移行している状態を想定している。
【００５２】
まず、復帰判別部３３は、人体検知センサ１４からの人体検知結果を受け付けると（ステップＳ１）、次に、この画像処理装置１の通電状態がスリープモードになっているか否かを判断する（ステップＳ２）。ここで、この判断は、例えば、電力供給回路制御部から通電状態がスリープモードであるか否かの検出結果を受け付けるようにしても良いし、電力供給回路から各処理部への電圧値（若しくは電流値）を直接検出し、この電圧値が所定の閾値を下回っている場合にスリープモードであると判断するようにしても良い。
【００５３】
スリープモードになっている場合には（ステップＳ２のＹＥＳ）、次に、復帰判別部３３は、ジョブ履歴２６を参照して（ステップＳ３）、直近ジョブの種別を判別する（ステップＳ４）。ここで、本実施形態で示した図４（ａ）のジョブ履歴２６ａは、直近のジョブがＰＣ印刷である。これに対して、ジョブ履歴２６ｂの場合には、直近ジョブはスキャンであるのでＰＣ印刷ではない。そこで、以下の説明では、直近ジョブがＰＣ印刷であるジョブ履歴２６ａの場合と、直近ジョブがＰＣ印刷ではないジョブ履歴２６ｂの場合とに分けて説明する。
【００５４】
まず、直近ジョブがＰＣ印刷であるジョブ履歴２６ａの場合について説明する。この場合（ステップＳ５のＹＥＳ）、復帰判別部３３は、ジョブ履歴２６ａに含まれる直近ジョブの「実行時間」を参照すると共に、現在時間を取得する。そして直近ジョブの「実行時間」と現在時間とを対比して直近ジョブが実行されてから予め設定された所定時間（例えば３０分）が超過しているか否かを判断し、超過している場合には（ステップＳ１０のＮＯ）、復帰判別部３３は、スリープモードから待機モードへの復帰を決定する（ステップＳ１２）。つまり、この場合、排出トレイ５に用紙が残っているか否かは判断することなく、待機モードへの復帰を決定する。他方、現在時間が「実行時間」から所定時間を超過していない場合には（ステップＳ１０のＹＥＳ）、復帰判別部３３は、次に、排出トレイ５に記録シートがあるか否かを判断するために、トレイセンサ１５の検出結果を受け付ける（ステップＳ１１）。例えば、「実行時間」から現在時間までの経過時間が３０分未満であったとすると、復帰判別部３３は、所定時間を超過していないと判断して、スリープモードから直ちには復帰させず、さらにトレイセンサ１５の検出結果を受け付ける。
【００５５】
復帰判別部３３は、トレイセンサ１５の検出結果が排出トレイ５に記録シートがあることを示す場合（ステップＳ１１のＮＯ）には、スリープモードを維持することを決定する（ステップＳ１４）。すなわち、この場合には、復帰判別部３３は、ステップＳ１まで戻って人体検知センサ１４からの人体検知結果を再び待つ状態となる。なお、その際、ユーザが排出トレイ５から記録シートを取り去ってしまうと、トレイセンサ１５は排出トレイ５に記録シートがないことを検出するが、その一方で人体検知センサ１４は当該ユーザの存在を継続して検知している状態になっている。この状態のとき復帰判別部３３は、スリープモードから待機モードに復帰させてしまうことを避けるために、ステップＳ１１でトレイセンサ１５によって記録シートがあることが検出されたときには、人体検知結果を一旦受け付けなくなるまで、或いは、所定時間が経過するまで、スリープモードを維持するようにし、人体検知結果を受け付けなくなった後に、或いは、所定時間経過後に、ステップＳ１に戻るようにしても良い。
【００５６】
次に、復帰判別部３３は、トレイセンサ１５の検出結果が排出トレイ５に記録シートがないことを示す場合（ステップＳ１１のＹＥＳ）には、通電状態をスリープモードから復帰させることを決定する（ステップＳ１２）。そして、復帰判別部３３によって通電状態をスリープモードから復帰させることが決定された場合には、次に、復帰指示部３４は、電力供給回路制御部に通電指示を送信する（ステップＳ１３）。そして、復帰判別のための処理は全て終了する。なお、復帰指示部３４による通電指示に基づきタッチパネルや各処理部１７〜１９の電力供給回路への通電が回復することで、通電状態がスリープモードから待機モードに復帰することになる。
【００５７】
次に、ステップＳ５まで戻って、直近ジョブがＰＣ印刷でないジョブ履歴２６ｂの場合について説明する。この場合（ステップＳ５のＮＯ）、まず、復帰判別部３３は、再びジョブ履歴２６を参照して（ステップＳ６）、直近のＰＣ印刷が実行された後に更に実行された全てのジョブを特定する（ステップＳ７）。本実施形態では、復帰判別部３３は、１１時００分に実行された直近のＰＣ印刷から後に更に実行されたジョブがＦＡＸ送信（実行時間１１時０６分）及びスキャン（実行時間１１時１３分）であることを特定する。そして、復帰判別部３３は、特定されたジョブが全て用紙排出を伴ないものであるか否かを判別する（ステップＳ８）。具体的には、特定されたジョブの「用紙排出」の項目を参照し、フラグが全て「×」になっているか否かを判別する。本実施形態ではジョブ履歴２６ｂにおいて、復帰判別部３３は、特定されたジョブであるＦＡＸ送信（実行時間１１時０６分）及びスキャン（実行時間１１時１３分）の「用紙排出」のフラグがそれぞれ「×」になっていると判別する。
【００５８】
復帰判別部３３は、特定されたジョブのうち、一つでも用紙排出を伴う場合、すなわち、特定されたジョブのうち「用紙排出」のフラグが一つでも「○」になっている場合には（ステップＳ８のＮＯ）、それ以前のＰＣ印刷で出力された記録シートは既に持ち去られている可能性が高いため、スリープモードから復帰させることを決定する（ステップＳ１２）。これに対して、本実施形態のように、特定されたジョブが全て用紙排出を伴わない場合には（ステップＳ８のＹＥＳ）、次に、復帰判別部３３は、ジョブ履歴２６を参照し、直近のＰＣ印刷が実行された後に更に実行された直近ジョブの「実行回数」を特定する。そして、復帰判別部３３は、「実行回数」が予め設定された所定回数（例えば３回）を超過している場合には（ステップＳ９のＹＥＳ）、スリープモードから復帰させることを決定する（ステップＳ１２）。
【００５９】
これに対して、復帰判別部３３は、「実行回数」が予め設定された所定回数（例えば３回）を超過していない場合には（ステップＳ９のＮＯ）、上述したステップＳ１０からの処理手順に移行する。本実施形態では、復帰判別部３３は、ジョブ履歴２６ｂを参照した場合、直近ジョブであるスキャン（実行時間１１時１３分）の「実行回数」は「２」（回）であることを特定し、所定回数を超過していないと判断して次のステップＳ１０に進む。
【００６０】
ステップＳ１０では、復帰判別部３３は、ジョブ履歴２６ｂを参照して直近のＰＣ印刷の「実行時間」を取得すると共に、現在時間を取得し、それらを対比することにより、直近のＰＣ印刷が実行されてから所定期間（例えば３０分）を超過しているか否かを判断する（ステップＳ１０）。例えば、現在時間が直近のＰＣ印刷の「実行時間」から３０分以上が経過している場合、復帰判別部３３は、「実行時間」からの経過時間が所定時間を超過していると判断して（ステップＳ１０のＮＯ）、スリープモードから復帰させるように決定する（ステップＳ１２）。そして、復帰指示部３４は、この指示に基づき、電力供給回路制御部に通電指示を送信する（ステップＳ１３）。このことによりスリープモードから待機モードに復帰して全ての処理が終了する。
【００６１】
なお、ステップＳ１０で現在時間が「実行時間」から所定時間を超過していない場合（ステップＳ１０のＹＥＳ）には、復帰判別部３３は、トレイセンサ１５からの検出結果が排出トレイ５に記録シートがあることを示す場合に（ステップＳ１１のＮＯ）、スリープモードを維持することを決定する（ステップＳ１４）。そして、最終的にステップＳ１に戻って処理が終了する。
【００６２】
以上のように、本実施形態の画像処理装置１は、人体が所定範囲内に存在することを検知する人体検知センサ１４を備えており、ジョブを実行した後に所定期間が経過した場合であって、かつ人体検知センサ１４が人体の存在を検知しない場合に通電状態を待機モードからスリープモードに移行させる構成である。そして、この画像処理装置１は、スリープモード中に人体検知センサが人体の存在を検知した場合、ジョブ履歴格納部２１に格納されているジョブ履歴２６を参照することにより、直近に実行されたジョブの種別を判別し、その判別結果に基づいてスリープモードから待機モードへと復帰させるか否かを決定するように構成されている。
【００６３】
このような構成によれば、直近のジョブの種別に基づいて、スリープモードから待機モードに復帰させるか否かを判断することができる。そして、復帰する必要がないと判断された場合には、人体検知センサ１４によって画像処理装置１の所定範囲内に人体が検知されても待機モードへは復帰されないので、通電状態はスリープモードを維持したままにすることができる。その結果、必要な場合にのみスリープモードから待機モードに復帰することで効率的にスリープモードを活用させることが可能になっている。
【００６４】
また、本実施形態では、復帰判別部３３は、直近ジョブがＰＣ印刷でなかった場合にはスリープモードから待機モードに復帰させることを決定し、直近ジョブがＰＣ印刷であった場合にはスリープモードから復帰させないことを決定する。そのため、画像処理装置１は、スリープモード中に画像処理装置１に近づく者が、ＰＣ印刷によって排出された記録シートを単に取りに来ただけであるか否かを判断することができるので、直近ジョブがＰＣ印刷である場合には、人体検知センサ１４が人体の存在を検知しても直ちにはスリープモードから復帰させないと決定することが可能になっている。その結果、必要な場合にのみスリープモードから待機モードに復帰することで効率的にスリープモードを活用させることが可能になっている。
【００６５】
さらに、本実施形態では、ジョブ履歴２６には、ジョブ処理部３０によって実行されたジョブが用紙排出を伴うものか否かを示すフラグが設定可能になっており、復帰判別部３３は、スリープモード中に人体検知センサ１４が人体の存在を検知した場合、ジョブ履歴２６を参照して、直近のＰＣ印刷の実行後に更に実行されたジョブが用紙排出を伴わないジョブである場合にはスリープモードから復帰させないことを決定する。そのため、画像処理装置１は、直近ジョブがＰＣ印刷でない場合であっても、スリープモード中に画像処理装置１に近づく者が、ＰＣ印刷によって排出された記録シートを単に取りに来ただけであるか否かを特定できる。そして、直近のＰＣ印刷の実行後に更に実行されたジョブが用紙排出を伴わないジョブである場合にはスリープモードから復帰させないことを決定することができる。その結果、必要な場合にのみスリープモードから待機モードに復帰させると決定することが可能になっている。
【００６６】
また、本実施形態では、ＰＣ印刷によって排出された記録シートを保持する排出トレイ５と、排出トレイ５に記録シートがあるか否かを検出するトレイセンサ１５と、をさらに備え、復帰判別部３３は、直近に実行されたジョブがＰＣ印刷であった場合には、さらにトレイセンサ１５の検出結果に基づき排出トレイ１５に記録シートがあるときにスリープモードから復帰させないことを決定する。そのため、排出トレイに何ら用紙がない場合には、スリープモード中に画像処理装置１に近づく者が画像処理装置１に何らかの処理を行わせようとしている可能性が高いと言えるので、この場合、復帰判別部３３は、通電状態をスリープモードから復帰させると決定し、その一方で、排出トレイに記録シートがある場合には、スリープモード中に画像処理装置１に近づく者が、ＰＣ印刷によって排出された記録シートを単に取りに来ただけであることが特定できるので、この場合に画像処理装置１は、通電状態をスリープモードから復帰させないと決定することができる。その結果、必要な場合にのみスリープモードから待機モードに復帰させると決定することが可能になっている。
【００６７】
また、本実施形態では、ジョブ履歴２６には、直近のＰＣ印刷の実行後に更にジョブが実行された場合のジョブの実行回数に関する情報が含まれており、復帰判別部３３は、スリープモード中に人体検知センサ１４が人体を検知した場合、ジョブ履歴２６を参照し、前記情報が予め設定された所定値を超えているときには復帰させることを決定する。さらに、復帰判別部３３は、スリープモード中に人体検知センサ１４が人体を検知した場合、ジョブ履歴２６を参照することによって、直近のＰＣ印刷が実行されてからの経過時間を判別し、該経過時間が予め設定された所定時間を経過していたときには復帰させることを決定する。そのため、画像処理装置１に近づく者が、画像処理装置１に何らかの処理を行わせようとしている可能性が高いと言える場合には、復帰判別部３３は、通電状態をスリープモードから復帰させると決定することができる。その結果、必要な場合にのみスリープモードから待機モードに復帰させると決定することが可能になっている。
【００６８】
（第２の実施形態）
上記の説明では、直近ジョブがＰＣ印刷か否かをスリープモードから復帰させるか否かの条件としていたが、これに限られない。すなわち、直近ジョブがスキャンであっても、スリープモードを継続されることが好ましいケースがあり、そのようなケースでは直近ジョブがスキャンであるか否かによって、上述したＰＣ印刷の場合と同様にスリープモードを継続させることが可能である。ここで、スキャンは、一般的に、以下に説明するように２通りの処理内容がある。すなわち、ユーザが原稿をフィーダ部２にセットした後に、ユーザの操作入力部１３への直接操作に基づきスキャン処理を実行する場合（いわゆる「プッシュスキャン」）と、ユーザが原稿をフィーダ部２にセットした後に、ユーザがユーザ端末６まで戻って、当該ユーザのユーザ端末６への操作に基づきネットワークを介してスキャン処理を実行する場合（以下、この処理を「プルスキャン」と称する）とがある。
【００６９】
プルスキャンの場合、ユーザは、ユーザ端末６でスキャン指示を行った後には、原稿載置台３に排出された原稿を取りに行く必要があるが、ユーザが原稿を取りに来ないまま所定時間が経過すると、移行指示部３２の指示に基づき通電状態がスリープモードに移行した状態になってしまう。このような状態で人体検知センサ１４が人体の存在を検知した場合、それは単に、ユーザが原稿を原稿載置台３まで取りに来ただけである可能性が極めて高い。そこで、復帰判別部３３は、このような場合に人体検知センサ１４が人体の存在を検知しても直ちには復帰させない。すなわち、この第２の実施形態では、スリープモード中に画像処理装置１に近づく者が、プルスキャンによって排出された原稿を単に取りに来るだけであることが特定できるか否かという観点によって、一旦遮断された通電状態を待機モードに復帰させるか否かを決定するものである。
【００７０】
プルスキャンの場合に復帰判別処理を実行するための具体的な構成は、上述したＰＣ印刷の場合と同様である。ここで、直近ジョブがプルスキャンであった場合には、上述したように、スリープモード中に画像処理装置１に近づく者は、原稿を原稿載置台３まで単に取りに来たユーザである可能性が極めて高い。このような場合には、復帰判断部３３は、人体検知センサ１４が人体を検出したことに伴い、スリープモードから復帰させないと直ちに決定しても良い。ただし、直近ジョブがプルスキャンであるか否かを単に判断するだけでなく、より好ましくは、原稿載置台３に原稿があるか否かを判断に含めることで、より正確にスリープモードから待機モードに復帰させるべきか否かを決定するように構成することができるようになる。すなわち、直近ジョブがプルスキャンの場合であっても、原稿載置台３に原稿がない場合には当該原稿は既に回収されており、スリープモード中に画像処理装置１に近づく者が、画像処理装置１に何らかの処理を行わせようとしている可能性が高いと考えられる。以下においては、復帰判別部３３が復帰させるか否かを決定するための、より好ましい判別処理について説明する。
【００７１】
図６は、プルスキャンの場合における復帰判別のフローチャートを主として示したものである。ここで、図４のジョブ履歴２６ｂは、直近のジョブ（実行時間１１時１３分）が「スキャン」になっているが、第２の実施形態では、この「スキャン」はプルスキャンであることを示している。なお、ジョブ履歴２６ａは、直近ジョブがプルスキャン以外の場合を示している。また、以下の説明では、上記第１の実施形態での説明と同様に、既に通電状態はスリープモードに移行している状態を想定している。
【００７２】
復帰判別部３３は、まず、人体検知センサ１４から人体検知結果を受け付けると（ステップＳ２１）、通電状態がスリープモードか否かを判断する（ステップＳ２２）。そして、スリープモード中の場合には（ステップＳ２２のＹＥＳ）、ジョブ履歴２６を参照して（ステップＳ２３）、直近ジョブのジョブ種別を判断する（ステップＳ２４）。次に、図４のジョブ履歴２６ａで示したように、直近ジョブがプルスキャンでない場合（ステップＳ２５のＮＯ）には、復帰判別部３３は、スリープモードから復帰させることを決定する（ステップＳ２７）。他方、ジョブ履歴２６ｂで示したように、直近ジョブがプルスキャンの場合（ステップＳ２５のＹＥＳ）には、復帰判別部３３は、次に原稿センサ１６の検出結果を受け付け原稿載置台３に原稿があるか否かを判断する（ステップＳ２６）。原稿センサ１６の検出結果が、原稿載置台３に原稿があることを示す場合（ステップＳ２６のＮＯ）には、この画像処理装置１に近づく者が、単に原稿を取りに来ただけである可能性が高いので、復帰判別部３３は、スリープモードを維持することを決定する（ステップＳ２９）。すなわち、この場合、ステップＳ１まで戻って、人体検知センサ１４からの人体検知結果を待つ状態になる。なお、このとき、復帰判別部３３は、スリープモードから復帰させてしまうことを避けるために、ステップＳ２６で原稿センサ１６によって原稿があることが検出されたときには、人体検知結果を一旦受け付けなくなるまで、或いは、所定時間が経過するまで、スリープモードを維持するようにし、人体検知結果を受け付けなくなった後に、或いは、所定時間が経過した後に、ステップＳ１に戻るようにしても良い。
【００７３】
次に、原稿センサ１６の検出結果が、原稿載置台３に原稿がないことを示す場合（ステップＳ２６のＹＥＳ）には、この画像処理装置１に近づく者が、単に原稿を取りに来ただけであることを特定できず、むしろ画像処理装置１に何らかの処理を行わせようとしている可能性が高いと言えるので、復帰判別部３３は、スリープモードから復帰させることを決定する（ステップＳ２７）。そして、復帰指示部３４は、この指示に基づき、電力供給回路制御部に通電指示を送信する（ステップＳ２８）。このことにより通電状態がスリープモードから待機モードに復帰して全ての処理が終了する。
【００７４】
このような構成によれば、復帰判別部３３は、スリープモード中に人体検知センサ１４が人体を検知した場合、ジョブ履歴２６を参照することにより、直近ジョブがプルスキャンでなかった場合にはスリープモードから待機モードに復帰させることを決定し、直近ジョブがプルスキャンであった場合にはスリープモードから復帰させないことを決定する。そのため、復帰判別部３３は、スリープモード中に画像処理装置１に近づく者が、プルスキャンによって排出された原稿を単に取りに来ただけであるか否かを判断することができるので、直近ジョブがプルスキャンである場合に人体検知センサ１４が人体の存在を検知しても直ちにはスリープモードから復帰させないと決定することができる。その結果、必要な場合にのみスリープモードから待機モードに復帰することで効率的にスリープモードを活用させることが可能になっている。
【００７５】
また、本実施形態では、スキャン後の原稿を載置するための原稿載置台３と、原稿載置台３に原稿があるか否かを検出する原稿センサ１６と、をさらに備え、復帰判別部３３は、直近に実行されたジョブがプルスキャンであった場合には、さらに前記原稿センサ１６からの検出結果に基づき原稿載置台３に原稿があるときにスリープモードから復帰させないことを決定する。そのため、原稿載置台３に何ら用紙がない場合には、画像処理装置１に近づいて来る者は、画像処理装置１に何らかの処理を行わせようとしている可能性が高いので、復帰判別部３３は、通電状態をスリープモードから復帰させると決定し、その一方で、原稿載置台３に原稿がある場合には、スリープモード中に画像処理装置１に近づく者が、プルスキャンによって排出された原稿を単に取りに来ただけであることが特定できるので、復帰判別部３３は、スリープモードから復帰させないと決定することができる。その結果、必要な場合にのみスリープモードから待機モードに復帰させると決定することが可能になっている。
【００７６】
（変形例）
以上、本発明に関する実施形態について説明したが、本発明は上述した内容に限られるものではなく、種々の変形例が適用可能である。
【００７７】
例えば、上述した実施形態では、人体検知センサ１４によって人体検知結果を受け付けてから通電状態がスリープモードか否かを判断したが（ステップＳ２）、逆に、スリープモード中にのみ人体検知センサ１４からの人体検知結果を受け付けるようにしてもよい。この場合、図５及び図６においてステップＳ２は無くなるので、その分処理がスムーズになる。
【００７８】
また、上述した実施形態では、原稿センサ１６は、原稿載置台３に設けられていたが、画像処理装置１が、原稿をセットするためのいわゆるプラテンガラスを有している場合には、当該プラテンガラスに原稿センサ１６が設けられていても良い。
【符号の説明】
【００７９】
１  画像処理装置
２  フィーダ部
３  原稿載置台
４  排出口
５  排出トレイ
６  ユーザ端末
１４  人体検知センサ（人体検知手段）
１５  トレイセンサ（排出用紙検出手段）
１６  原稿センサ（原稿検出手段）
２１  ジョブ履歴格納部（ジョブ履歴格納手段）
２６  ジョブ履歴
３０  ジョブ処理部（ジョブ処理手段）
３１  ジョブ管理部（受付手段、ジョブ管理手段）
３２  移行指示部（移行手段）
３３  復帰判別部（復帰判別手段）
３４  復帰指示部（復帰手段）
【図１】
2012058645.tif 000003
【図２】
2012058645.tif 000004
【図３】
2012058645.tif 000005
【図４】
2012058645.tif 000006
【図５】
2012058645.tif 000007
【図６】
2012058645.tif 000008